(57)【要約】【課題】  本発明は、複数の電子機器に給電を行う場合に、ユーザの所望の電子機器に優先的に給電を行うことを目的とする。【解決手段】  給電装置であって、第１の電子機器の位置と、第２の電子機器の位置とを検出する位置検出手段と、所定の範囲内に前記第１の電子機器及び前記第２の電子機器が存在することが検出された場合、前記第１の電子機器の位置及び前記第２の電子機器の位置に基づいて、給電のための優先順位を設定する設定手段と、前記設定手段によって設定された優先順位に基づいて、前記第１の電子機器への給電と前記第２の電子機器への給電とを制御する制御手段とを有する。【選択図】  図２
2014222963.tif 000002
【特許請求の範囲】
【請求項１】
無線給電装置であって、
前記無線給電装置によってそれぞれ給電可能な、第１の電子機器の位置と、第２の電子機器の位置とを検出する位置検出手段と、
所定の範囲内に前記第１の電子機器及び前記第２の電子機器が存在することが検出された場合、前記第１の電子機器の位置及び前記第２の電子機器の位置に基づいて、給電のための優先順位を設定する設定手段と、
前記設定手段によって設定された優先順位に基づいて、前記第１の電子機器への給電と前記第２の電子機器への給電とを制御する制御手段とを有することを特徴とする給電装置。
【請求項２】
前記制御手段は、前記設定手段によって設定された優先順位に基づいて、前記第１の電子機器に給電を行うための第１の給電時間と、前記第２の電子機器に給電を行うための第２の給電時間とを設定し、
前記制御手段は、前記第１の給電時間に基づいて、前記第１の電子機器への給電を制御し、
前記制御手段は、前記第２の給電時間に基づいて、前記第２の電子機器への給電を制御することを特徴とする請求項１に記載の給電装置。
【請求項３】
前記制御手段は、前記第１の電子機器への給電が開始されてから前記第１の給電時間が経過するまでの間、前記第２の電子機器への給電が行われないように制御し、
前記制御手段は、前記第２の電子機器への給電が開始されてから前記第２の給電時間が経過するまでの間、前記第１の電子機器への給電が行われないように制御することを特徴とする請求項２に記載の給電装置。
【請求項４】
前記設定手段によって、前記第１の電子機器が前記第２の電子機器よりも優先的に給電されるように優先順位が設定された場合、前記制御手段は、前記第２の給電時間よりも長くなるように前記第１の給電時間を設定することを特徴とする請求項１から３のいずれか１項に記載の給電装置。
【請求項５】
前記所定の範囲に前記第１の電子機器及び前記第２の電子機器が存在することが検出されている状態で、前記所定の範囲内に第３の電子機器が存在することが検出された場合、前記設定手段は、前記第１の電子機器の位置、前記第２の電子機器の位置、及び前記第３の電子機器の位置に基づいて、優先順位を再び設定することを特徴とする請求項１から４のいずれか１項に記載の給電装置。
【請求項６】
前記所定の範囲内に前記第１の電子機器及び前記第２の電子機器が存在することが検出された状態で、前記所定の範囲内から前記第２の電子機器の存在が検出されなくなった場合、前記設定手段は、前記第２の電子機器の位置に基づいて、優先順位を設定しないようにすることを特徴とする請求項１から５のいずれか１項に記載の給電装置。
【請求項７】
前記所定の範囲内に前記第１の電子機器及び前記第２の電子機器が存在することが検出されている状態で、前記所定の範囲内に第３の電子機器が存在することが検出された場合、前記制御手段は、前記第１の電子機器の位置、前記第２の電子機器の位置、及び前記第３の電子機器の位置に基づいて、前記第１の電子機器への給電と、前記第２の電子機器への給電と、前記第３の電子機器への給電を制御することを特徴とする請求項１から６のいずれか１項に記載の給電装置。
【請求項８】
前記所定の範囲内に前記第１の電子機器及び前記第２の電子機器が存在することが検出されている状態で、前記第２の電子機器による充電が終了した場合、前記設定手段は、前記第２の電子機器の位置に基づいて、優先順位を設定しないようにすることを特徴とする請求項１から７のいずれか１項に記載の給電装置。
【請求項９】
前記所定の範囲内に前記第１の電子機器及び前記第２の電子機器が存在することが検出された状態で、前記第２の電子機器による充電が終了した場合、前記制御手段は、前記第１の電子機器への給電を優先的に行うように制御することを特徴とする請求項１から８のいずれか１項に記載の給電装置。
【請求項１０】
前記第１の電子機器が前記所定の範囲内における第１の範囲内に存在する場合であって、かつ、前記第２の電子機器が前記所定の範囲内における前記第１の範囲と異なる第２の範囲内に存在する場合、前記設定手段は、前記第１の電子機器が前記第２の電子機器よりも優先的に給電されるように優先順位を設定することを特徴とする請求項１から９のいずれか１項に記載の給電装置。
【請求項１１】
無線給電装置によってそれぞれ給電可能な、第１の電子機器の位置と、第２の電子機器の位置とを検出するステップと、
所定の範囲内に前記第１の電子機器及び前記第２の電子機器が検出された場合、前記第１の電子機器の位置及び前記第２の電子機器の位置に基づいて、給電のための優先順位を設定するステップと、
設定された優先順位に基づいて、前記第１の電子機器への給電と前記第２の電子機器への給電とを制御するステップとを有することを特徴とする給電方法。
【請求項１２】
無線給電装置によってそれぞれ給電可能な、第１の電子機器の位置と、第２の電子機器の位置とを検出するステップと、
所定の範囲内に前記第１の電子機器及び前記第２の電子機器が検出された場合、前記第１の電子機器の位置及び前記第２の電子機器の位置に基づいて、給電のための優先順位を設定するステップと、
設定された優先順位に基づいて、前記第１の電子機器への給電と前記第２の電子機器への給電とを制御するステップとをコンピュータに実行させるためのプログラム。
【請求項１３】
無線給電装置によってそれぞれ給電可能な、第１の電子機器の位置と、第２の電子機器の位置とを検出するステップと、
所定の範囲内に前記第１の電子機器及び前記第２の電子機器が検出された場合、前記第１の電子機器の位置及び前記第２の電子機器の位置に基づいて、給電のための優先順位を設定するステップと、
設定された優先順位に基づいて、前記第１の電子機器への給電と前記第２の電子機器への給電とを制御するステップとをコンピュータに実行させるためのプログラムを記録したコンピュータ読み取り可能な記録媒体。
【発明の詳細な説明】
【技術分野】
【０００１】
本発明は、複数の電子機器に対して無線給電を行う給電装置等に関する。
【背景技術】
【０００２】
従来、給電装置が、コネクタ等で接続することなく電子機器に無線給電を行う無線給電システムが知られている。このように無線給電システムにおいて、一次コイルを有する給電装置と、二次コイルを有する電子機器とを磁気的に結合し、一次コイルから発生する交流磁場で二次コイルに電力を発生させることによって、給電装置は、電子機器に電力を供給する。この場合、電子機器は、給電装置から供給された電力を用いて電池の充電を行う。
【０００３】
このような無線給電システムにおいて、一台の給電装置が複数の電子機器に電力を供給することが知られている（特許文献１）。
【先行技術文献】
【特許文献】
【０００４】
【特許文献１】特表２００５−５２５７０５号公報
【発明の概要】
【発明が解決しようとする課題】
【０００５】
しかしながら、一台の給電装置が複数の電子機器に無線給電を行う場合、給電装置から供給される電力は、複数の電子機器に分配されて供給される。この場合、各電子機器には、給電装置から一台の電子機器に対して供給される電力よりも少ない電力が供給される。このため、給電装置が複数の電子機器に無線給電を行う場合に一台当たりの電子機器の充電が完了するまでにかかる時間は、給電装置が一台の電子機器に無線給電を行う場合よりも長くかかっていた。
【０００６】
さらに、ユーザが複数の電子機器の中から特定の電子機器を使用したい場合であっても、所望の電子機器の電池の充電が完了しておらず、ユーザが所望の電子機器を使用することができないという問題があった。
【０００７】
そこで、本発明は、複数の電子機器に給電を行う場合に、ユーザの所望の電子機器に対して優先的に給電を行うようにすることを目的とする。
【課題を解決するための手段】
【０００８】
本発明に係る無線給電装置は、無線給電装置であって、前記無線給電装置によってそれぞれ給電可能な、第１の電子機器の位置と、第２の電子機器の位置とを検出する位置検出手段と、前記給電装置からの所定の範囲内に前記第１の電子機器及び前記第２の電子機器が検出された場合、前記第１の電子機器の位置及び前記第２の電子機器の位置に基づいて、給電のための優先順位を設定する設定手段と、前記設定手段によって設定された優先順位に基づいて、前記第１の電子機器への給電と前記第２の電子機器への給電とを制御する制御手段とを有することを特徴とする。
【発明の効果】
【０００９】
本発明によれば、複数の電子機器に給電を行う場合に、ユーザの所望の電子機器に対して優先的に給電を行うことができる。
【図面の簡単な説明】
【００１０】
【図１】本発明の実施例１に係る無線給電システムの一例を示す図である。
【図２】本発明の実施例１に係る給電装置の一例を示すブロック図である。
【図３】本発明の実施例１に係る給電装置によって行われる給電処理の一例を示すフローチャート図である。
【図４】本発明の実施例１に係る給電装置によって行われる設定処理の一例を示すフローチャート図である。
【図５】本発明の実施例１における第１の範囲、第２の範囲及び第３の範囲の設定方法の一例を示す図である。
【発明を実施するための形態】
【００１１】
［実施例１］
以下、本発明の実施例１について、図面を参照して詳細に説明する。実施例１に係る無線給電システムは、図１に示すように給電装置１００、第１の電子機器２００、第２の電子機器３００及び第３の電子機器４００を有する。実施例１における無線給電システムにおいて、給電装置１００からの所定の範囲５００内に無線給電が可能な、第１の電子機器２００、第２の電子機器３００及び第３の電子機器４００の少なくとも一つが存在する場合、給電装置１００は、無線給電を行う。なお、所定の範囲５００とは、給電装置１００が電力の供給を行うことができる給電可能な範囲である。なお、所定の範囲５００は、給電装置１００の筺体上の特定の範囲であるものとする。
【００１２】
第１の電子機器２００は、例えば、デジタルスチルカメラであり、第２の電子機器３００は、例えば、デジタルビデオカメラであり、第３の電子機器４００は、例えば、携帯電話であるものとする。第１の電子機器２００、第２の電子機器３００及び第３の電子機器４００は、無線給電に対応する電子機器であるものとする。
【００１３】
なお、第１の電子機器２００、第２の電子機器３００及び第３の電子機器４００は、デジタルスチルカメラ、デジタルビデオカメラ及び携帯電話以外の無線給電に対応する電子機器であっても良いものとする。
【００１４】
図２は、実施例１に係る給電装置１００のブロック図の一例を示す。給電装置１００は、図２に示すように、制御部１０１、表示部１０２、メモリ１０３、操作部１０４、無線通信部１０５、位置検出部１０６及び給電部１０７を有する。
【００１５】
制御部１０１は、メモリ１０３に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。
【００１６】
表示部１０２は、メモリ１０３から供給されるデータや無線通信部１０５から供給されるデータを表示する。なお、給電装置１００によって無線給電が行われている場合、表示部１０２は、無線給電に関するデータを表示する。
【００１７】
メモリ１０３は、給電装置１００を制御するコンピュータプログラム及び給電装置１００に関するパラメータを記録する。また、メモリ１０３は、第１の電子機器２００、第２の電子機器３００及び第３の電子機器４００の少なくとも一つから無線通信部１０５が受信したデータを記録する。
【００１８】
操作部１０４は、給電装置１００を操作するためのユーザインターフェースを提供する。操作部１０４は、給電装置１００を操作するためのボタン、スイッチやタッチパネル等を有する。制御部１０１は、操作部１０４を介して入力された入力信号に従って給電装置１００を制御する。
【００１９】
無線通信部１０５は、所定の通信規格に準拠した無線通信を行う。給電装置１００によって無線給電が行われる場合、無線通信部１０５は、無線給電を制御するための通信を第１の電子機器２００、第２の電子機器３００及び第３の電子機器４００の少なくとも一つと行う。所定の通信規格は、ＮＦＣ（Ｎｅａｒ  Ｆｉｅｌｄ  Ｃｏｍｍｕｎｉｃａｔｉｏｎ）規格であってもよく、無線ＬＡＮ（Ｌｏｃａｌ  Ａｒｅａ  Ｎｅｔｗｏｒｋ）規格であってもよく、Ｂｌｕｅ  Ｔｏｏｔｈ（登録商標）規格であってもよい。また、所定の通信規格は、Ｔｒａｎｓｆｅｒ  Ｊｅｔ規格であってもよいものとする。
【００２０】
位置検出部１０６は、所定の範囲５００内に存在する第１の電子機器２００、第２の電子機器３００及び第３の電子機器４００の少なくとも一つの位置を検出する。
【００２１】
例えば、所定の範囲５００内に第１の電子機器２００が置かれた場合、所定の範囲５００内における第１の電子機器２００の位置を検出し、検出した第１の電子機器２００の位置を示す位置情報を制御部１０１に供給する。
【００２２】
なお、位置検出部１０６は、第１の電子機器２００、第２の電子機器３００及び第３の電子機器４００の少なくとも一つの位置を検出するためのセンサを有する。なお、位置検出部１０６が有するセンサは、静電容量方式により位置を検出するものであってもよく、電磁誘導方式により位置を検出するものであってもよく、感圧抵抗方式により位置を検出するものであってもよい。あるいは撮像装置によって得られた画像から物体認識によって位置を検出するものであってもよい。また、位置検出は範囲５００が例えば矩形の場合には直交する２辺をそれぞれＸ軸、Ｙ軸として、ＸＹ座標によって位置を表すものとする。
【００２３】
給電部１０７は、所定の給電方式に基づいて、無線給電を行う。給電部１０７は、電力を出力するための給電アンテナ１０７ａを有する。所定の給電方式とは、例えば、磁界共鳴方式や電磁誘導方式、電界結合方式等である。また、所定の給電方式は、ＷＰＣ（Ｗｉｒｅｌｅｓｓ  Ｐｏｗｅｒ  Ｃｏｎｓｏｒｔｉｕｍ）によって規定されている「Ｑｉ」規格に対応する給電方式であってもよい。また、所定の給電方式は、Ａｌｌｉａｎｃｅ  ｆｏｒ  Ｗｉｒｅｌｅｓｓ  Ｐｏｗｅｒ（Ａ４ＷＰ）に規定されている規格に対応する給電方式であってもよい。また、所定の給電方式は、ＢＷＦ（Ｂｒｏａｄｂａｎｄ  Ｗｉｒｅｌｅｓｓ  Ｆｏｒｕｍ）によって規定されている規格に対応する給電方式であってもよい。
【００２４】
給電部１０７は、給電アンテナ１０７ａを介して所定の電力を出力する。所定の電力は、第１の電子機器２００、第２の電子機器３００及び第３の電子機器４００の少なくとも一つに充電や特定の動作を行わせるために用いられる。
【００２５】
また、実施例１において、給電装置１００は、無線により給電を行い、第１の電子機器２００、第２の電子機器３００及び第３の電子機器４００は、給電装置１００から無線で電力を受電するものとした。尚、「無線」を「非接触」や「無接点」と言い換えてもよいものとする。
【００２６】
（給電処理）
実施例１において、給電装置１００によって行われる給電処理について、図３のフローチャートを用いて説明する。図３に示される給電処理は、制御部１０１がメモリ１０３に格納されているコンピュータプログラムを実行することにより実現することができる。なお、給電処理は、給電装置１００が電源オン状態である場合に行われる処理であるものとする。
【００２７】
Ｓ３０１において、制御部１０１は、所定の範囲５００内に少なくとも一つの電子機器が存在するか否かを判定する。例えば、制御部１０１は、位置検出部１０６から供給される位置情報に応じて、所定の範囲５００内に少なくとも一つの電子機器が存在するか否かを判定する。所定の範囲５００内に少なくとも一つの電子機器が存在すると判定された場合、制御部１０１は、所定の範囲５００内に存在すると検出された電子機器の識別データを取得するように無線通信部１０５を制御する。さらに、制御部１０１は、無線通信部１０５が取得した識別データを用いて、所定の範囲５００内に無線給電可能な、第１の電子機器２００、第２の電子機器３００及び第３の電子機器４００の少なくとも一つが存在するか否かを検出する。制御部１０１によって、所定の範囲５００内に第１の電子機器２００、第２の電子機器３００及び第３の電子機器４００の少なくとも一つが存在することが検出された場合（Ｓ３０１でＹＥＳ）、Ｓ３０２に進む。制御部１０１によって、所定の範囲５００内に第１の電子機器２００、第２の電子機器３００及び第３の電子機器４００が存在していないことが検出された場合（Ｓ３０１でＮＯ）、再びＳ３０１を繰り返す。
【００２８】
Ｓ３０２において、制御部１０１は、所定の範囲５００内に存在する電子機器が２つ以上であるか否かを判定する。例えば、所定の範囲５００内に第１の電子機器２００、第２の電子機器３００及び第３の電子機器４００が存在する場合、制御部１０１は、所定の範囲５００内に存在する電子機器が２つ以上であると判定する。また、例えば、所定の範囲５００内に第３の電子機器４００は存在しないが、第１の電子機器２００及び第２の電子機器３００が存在する場合、制御部１０１は、所定の範囲５００内に存在する電子機器が２つ以上であると判定する。また、例えば、所定の範囲５００内に第２の電子機器３００及び第３の電子機器４００は存在しないが、第１の電子機器２００が存在する場合、制御部１０１は、所定の範囲５００内に存在する電子機器が２つ以上でないと判定する。
【００２９】
制御部１０１によって、所定の範囲５００内に存在する電子機器が２つ以上でないと判定された場合（Ｓ３０２でＮＯ）、Ｓ３１１に進む。制御部１０１によって、所定の範囲５００内に存在する電子機器が２つ以上であると判定された場合（Ｓ３０２でＹＥＳ）、Ｓ３０３に進む。
【００３０】
Ｓ３０３において、制御部１０１は、所定の範囲５００内に存在する各電子機器の位置を検出する。例えば、図１のような場合、制御部１０１は、第１の電子機器２００の位置、第２の電子機器３００の位置及び第３の電子機器４００の位置を検出するように位置検出部１０６を制御する。制御部１０１は、位置検出部１０６によって検出された第１の電子機器２００の位置情報、第２の電子機器３００の位置情報、及び第３の電子機器４００の位置情報をメモリ１０３に記録する。
【００３１】
第１の電子機器２００の位置情報は、所定の範囲５００内における第１の電子機器２００の位置を示す情報である。第２の電子機器３００の位置情報は、所定の範囲５００内における第２の電子機器３００の位置を示す情報である。第３の電子機器４００の位置情報は、例えば、所定の範囲５００内における第３の電子機器４００の位置を示す情報である。所定の範囲５００内に存在する各電子機器の位置が検出された後、Ｓ３０４に進む。
【００３２】
Ｓ３０４において、制御部１０１は、設定処理を行う。設定処理は、Ｓ３０３において検出された各電子機器の位置情報に応じて、給電を優先的に行う電子機器の優先順位を設定するための処理である。なお、設定処理については後述する。設定処理が行われた後、Ｓ３０５に進む。
【００３３】
Ｓ３０５において、制御部１０１は、Ｓ３０４の設定処理よって設定された優先順位を示す情報に応じて、各電子機器に電力を供給するための給電時間を設定する。
【００３４】
例えば、図１のような場合において、第１の電子機器２００の優先順位が第２の電子機器３００及び第３の電子機器４００よりも高く、第２の電子機器３００の優先順位が第３の電子機器４００よりも高い場合について、以下説明を行う。なお、第１の電子機器２００に電力を供給するための時間を「第１の給電時間」と呼び、第２の電子機器３００に電力を供給するための時間を「第２の給電時間」と呼び、第３の電子機器４００に電力を供給するための時間を「第３の給電時間」と呼ぶものとする。
【００３５】
この場合、制御部１０１は、第１の給電時間を「３０分」に設定し、第２の給電時間を「２０分」に設定し、第３の給電時間を「１０分」に設定する。その後、制御部１０１は、給電の周期を一時間として、第１の電子機器２００、第２の電子機器３００及び第３の電子機器４００に対して周期的に順次給電を行う。この場合、制御部１０１は、給電が開始されてから第１の給電時間が経過するまでの間、第１の電子機器２００に給電し、第１の給電時間が経過した後から第２の給電時間が経過するまでの間、第２の電子機器３００に給電する。さらに、制御部１０１は、第２の給電時間が経過した後から第３の給電時間が経過するまでの間、第３の電子機器４００に給電する。
【００３６】
また、この場合、制御部１０１は、第１の給電時間を「６０分」に設定し、第２の給電時間を「０分」に設定し、第３の給電時間を「０分」に設定してもよい。この場合、制御部１０１は、第１の電子機器２００の充電が終了するまでの間、第２の電子機器３００及び第３の電子機器４００に対して給電を行わないようにする。
【００３７】
給電時間が設定された後、Ｓ３０６に進む。
【００３８】
Ｓ３０６において、制御部１０１は、Ｓ３０５において設定された給電時間に応じて、給電を開始する。
【００３９】
例えば、図１のような場合において、制御部１０１は、第１の給電時間が「３０分」に設定され、第２の給電時間が「２０分」に設定され、第３の給電時間が「１０分」に設定された場合について、説明を行う。この場合、制御部１０１は、第１の電子機器２００への給電を開始するように給電部１０７を制御し、第１の電子機器２００への給電を開始してから経過した時間を計測するようにタイマー１０１ａを制御する。さらに、制御部１０１は、タイマー１０１ａによって計測された時間が第１の給電時間に達するまでの間、第１の電子機器２００に電力が供給されるように給電部１０７を制御する。なお、タイマー１０１ａによって計測された時間が第１の給電時間に達するまでの間、制御部１０１は、第２の電子機器３００及び第３の電子機器４００に電力が供給されないように給電部１０７を制御する。
【００４０】
その後、タイマー１０１ａによって計測された時間が第１の給電時間に達した場合、制御部１０１は、第２の電子機器３００への給電を開始するように給電部１０７を制御する。さらに、制御部１０１は、第２の電子機器３００への給電を開始してから経過した時間を計測するようにタイマー１０１ａを制御する。さらに、制御部１０１は、タイマー１０１ａによって計測された時間が第２の給電時間に達するまでの間、第２の電子機器３００に電力が供給されるように給電部１０７を制御する。なお、タイマー１０１ａによって計測された時間が第２の給電時間に達するまでの間、制御部１０１は、第１の電子機器２００及び第３の電子機器４００に電力が供給されないように給電部１０７を制御する。
【００４１】
その後、タイマー１０１ａによって計測された時間が第２の給電時間に達した場合、制御部１０１は、第３の電子機器４００への給電を開始するように給電部１０７を制御する。さらに、制御部１０１は、第３の電子機器４００への給電を開始してから経過した時間を計測するようにタイマー１０１ａを制御する。なお、タイマー１０１ａによって計測された時間が第３の給電時間に達するまでの間、制御部１０１は、第１の電子機器２００及び第２の電子機器３００に電力が供給されないように給電部１０７を制御する。なお、タイマー１０１ａによって計測された時間が第３の給電時間に達した場合、制御部１０１は、再び、第１の給電時間が経過するまでの間、第１の電子機器２００への給電を行うように給電部１０７を制御してもよい。
【００４２】
給電が開始された後、Ｓ３０７に進む。
【００４３】
Ｓ３０７において、制御部１０１は、所定の範囲５００内に存在する全ての電子機器の充電が終了したか否かを判定する。例えば、制御部１０１は、所定の範囲５００内に存在する全ての電子機器に対して電池の残容量を要求するように無線通信部１０５を制御する。その後、制御部１０１は、無線通信部１０５が受信した電池の残容量を示すデータを用いて所定の範囲５００内に存在する全ての電子機器の充電が終了したか否かを判定する。
【００４４】
制御部１０１によって、所定の範囲５００内に存在する全ての電子機器の充電が終了していないと判定された場合（Ｓ３０７でＮＯ）、Ｓ３０８に進む。制御部１０１によって、所定の範囲５００内に存在する全ての電子機器の充電が終了したと判定された場合（Ｓ３０７でＹＥＳ）、図３の給電処理を終了する。
【００４５】
Ｓ３０８において、制御部１０１は、所定の範囲５００内に存在すると検出された電子機器の数が変化したか否かを判定する。例えば、一つの電子機器が所定の範囲５００内から取り外された場合、制御部１０１は、所定の範囲５００内に存在すると検出された電子機器の数が変化したと判定する。また、例えば、一つの電子機器が新たに所定の範囲５００内に置かれた場合、制御部１０１は、所定の範囲５００内に存在すると検出された電子機器の数が変化したと判定する。制御部１０１によって、所定の範囲５００内に存在すると検出された電子機器の数が変化したと判定された場合（Ｓ３０８でＹＥＳ）、Ｓ３０１に戻る。制御部１０１によって、所定の範囲５００内に存在すると判定された電子機器の数が変化していないと判定された場合（Ｓ３０８でＮＯ）、Ｓ３０９に進む。
【００４６】
Ｓ３０９において、制御部１０１は、所定の範囲５００内に存在する複数の電子機器のうち、充電が終了した電子機器が少なくとも一つ存在するか否かを判定する。例えば、制御部１０１は、所定の範囲５００内に存在する全ての電子機器に対して電池の残容量を要求するように無線通信部１０５を制御する。その後、制御部１０１は、無線通信部１０５が受信した電池の残容量を示すデータを用いて所定の範囲５００内に存在する複数の電子機器のうち、充電が終了した電子機器が少なくとも一つ存在するか否かを判定する。
【００４７】
制御部１０１によって、所定の範囲５００内に存在する複数の電子機器のうち、充電が終了した電子機器が少なくとも一つ存在すると判定された場合（Ｓ３０９でＹＥＳ）、Ｓ３０３に戻る。制御部１０１によって、所定の範囲５００内に存在する複数の電子機器のうちで充電が終了した電子機器が存在しないと判定された場合（Ｓ３０９でＮＯ）、Ｓ３１０に進む。
【００４８】
Ｓ３１０において、制御部１０１は、所定の範囲５００内に存在する複数の電子機器の少なくとも一つが動かされたか否かを判定する。例えば、制御部１０１は、所定の範囲５００内に存在する各電子機器の位置情報を定期的に検出するように位置検出部１０６を制御する。位置検出部１０６によって検出された各電子機器の位置の少なくとも一つの変化量が所定値以上である場合、制御部１０１は、所定の範囲５００内に存在する複数の電子機器の少なくとも一つが動かされたと判定する。位置検出部１０６によって検出された各電子機器の位置の変化量が全て所定値以上でない場合、制御部１０１は、所定の範囲５００内に存在する全ての電子機器は動かされていないと判定する。制御部１０１によって、所定の範囲５００内に存在する複数の電子機器の少なくとも一つが動かされたと判定された場合（Ｓ３１０でＹＥＳ）、Ｓ３０３に戻る。制御部１０１によって、所定の範囲５００内に存在する全ての電子機器が動かされていないと判定された場合（Ｓ３１０でＮＯ）、Ｓ３０１に戻る。
【００４９】
Ｓ３１１において、制御部１０１は、所定の範囲５００内に存在する一つの電子機器に対して給電を開始する。この場合、Ｓ３１２に進む。
【００５０】
Ｓ３１２において、制御部１０１は、所定の範囲５００内に存在する一つの電子機器の充電が終了したか否かを判定する。所定の範囲５００内に存在する一つ電子機器の充電が終了したと判定された場合（Ｓ３１２でＹＥＳ）、図３の給電処理を終了する。制御部１０１によって、所定の範囲５００内に存在する一つの電子機器の充電が終了していないと判定された場合（Ｓ３１２でＮＯ）、Ｓ３０１に戻る。
【００５１】
（設定処理）
実施例１において、図３のＳ３０４において行われる設定処理について、図４のフローチャートを用いて説明する。図４に示される設定処理は、制御部１０１がメモリ１０３に格納されているコンピュータプログラムを実行することにより実現することができる。
【００５２】
Ｓ４０１において、制御部１０１は、Ｓ３０１で取得された電子機器の識別データと、Ｓ３０３で検出された電子機器の位置情報とを関連付けた管理テーブルを作成する。管理テーブルには、さらに、優先順位を示す情報が電子機器の識別データと電子機器の位置情報とに関連付けて記録されるものとする。管理テーブルが作成された後、Ｓ４０２に進む。
【００５３】
Ｓ４０２において、制御部１０１は、Ｓ３０９と同様に、所定の範囲５００内に存在する無線給電が可能な複数の電子機器のうち、充電が終了した電子機器が少なくとも一つ存在するか否かを判定する。制御部１０１によって、所定の範囲５００内に存在する複数の電子機器のうち、充電が終了した電子機器が少なくとも一つ存在すると判定された場合（Ｓ４０２でＹＥＳ）、Ｓ４０３に進む。制御部１０１によって、所定の範囲５００内に存在する複数の電子機器のうち、充電が終了した電子機器が存在しないと判定された場合（Ｓ４０２でＮＯ）、Ｓ４０４に進む。
【００５４】
Ｓ４０３において、制御部１０１は、充電が終了したと判定された電子機器をＳ４０１において作成された管理テーブルから消去する。この場合、充電が終了したと判定された電子機器の識別データ及び位置情報が管理テーブルから消去される。この場合、Ｓ４０４に進む。
【００５５】
Ｓ４０４において、制御部１０１は、管理テーブルに登録された電子機器の位置情報に応じて、管理テーブルに登録された電子機器が第１の範囲に存在するか否かを判定する。第１の範囲は、所定の範囲５００に含まれる範囲であり、図５の例に示されるような位置に配置される。なお、第１の範囲については、後述する。制御部１０１によって、管理テーブルに登録された電子機器が第１の範囲に存在すると判定された場合（Ｓ４０４でＹＥＳ）、Ｓ４０９に進む。制御部１０１によって、管理テーブルに登録された電子機器が第１の範囲に存在しないと判定された場合（Ｓ４０４でＮＯ）、Ｓ４０５に進む。
【００５６】
Ｓ４０５において、制御部１０１は、管理テーブルに登録された電子機器の位置情報に応じて、管理テーブルに登録された電子機器が第２の範囲に存在するか否かを判定する。第２の範囲は、所定の範囲５００に含まれる範囲であり、図５の例に示されるような位置に配置される。なお、第２の範囲については、後述する。制御部１０１によって、管理テーブルに登録された電子機器が第２の範囲に存在すると判定された場合（Ｓ４０５でＹＥＳ）、Ｓ４０６に進む。制御部１０１によって、管理テーブルに登録された電子機器が第２の範囲に存在しないと判定された場合（Ｓ４０５でＮＯ）、Ｓ４１６に進む。
【００５７】
Ｓ４０６において、制御部１０１は、第２の範囲に存在すると判定された電子機器の給電の優先順位が第１位となるように、第２の範囲に存在する電子機器の優先順位を示す情報を書き換える。この場合、Ｓ４０７に進む。第２の範囲に存在すると判定された電子機器が複数である場合、第２の範囲に存在すると判定された複数の電子機器の優先順位が第１位となるように、管理テーブルの優先順位を示す情報を書き換えてもよい。
【００５８】
Ｓ４０７において、制御部１０１は、管理テーブルに登録された電子機器の位置情報に応じて、管理テーブルに登録された電子機器が第３の範囲に存在するか否かを判定する。第３の範囲は、所定の範囲５００に含まれる範囲であり、図５の例に示されるような位置に配置される。なお、第３の範囲については、後述する。制御部１０１によって、管理テーブルに登録された電子機器が第３の範囲に存在すると判定された場合（Ｓ４０７でＹＥＳ）、Ｓ４０８に進む。制御部１０１によって、管理テーブルに登録された電子機器が第３の範囲に存在しないと判定された場合（Ｓ４０７でＮＯ）、図４の設定処理を終了する。
【００５９】
Ｓ４０８において、制御部１０１は、第３の範囲に存在すると判定された電子機器の優先順位が第２位となるように、第３の範囲に存在する電子機器の優先順位を示す情報を書き換える。この場合、図４の設定処理を終了する。第３の範囲に存在すると判定された電子機器が複数である場合、第３の範囲に存在すると判定された複数の電子機器の優先順位が第２位となるように、管理テーブルの優先順位を示す情報を書き換えてもよい。
【００６０】
Ｓ４０９において、制御部１０１は、第１の範囲に存在すると判定された電子機器の優先順位が第１位となるように、第１の範囲に存在する電子機器の優先順位を示す情報を書き換える。この場合、Ｓ４１０に進む。第１の範囲に存在すると判定された電子機器が複数である場合、第１の範囲に存在すると判定された複数の電子機器の優先順位が第１位となるように、管理テーブルの優先順位を示す情報を書き換えてもよい。
【００６１】
Ｓ４１０において、Ｓ４０５と同様に、制御部１０１は、管理テーブルに登録された電子機器の位置情報に応じて、管理テーブルに登録された電子機器が第２の範囲に存在するか否かを判定する。制御部１０１によって、管理テーブルに登録された電子機器が第２の範囲に存在すると判定された場合（Ｓ４１０でＹＥＳ）、Ｓ４１１に進み、そうでない場合（Ｓ４１０でＮＯ）、Ｓ４１４に進む。
【００６２】
Ｓ４１１において、制御部１０１は、第２の範囲に存在すると判定された電子機器の優先順位が第２位となるように、第２の範囲に存在する電子機器の優先順位を示す情報を書き換える。この場合、Ｓ４１２に進む。
【００６３】
Ｓ４１２において、制御部１０１は、Ｓ４０７と同様に、管理テーブルに登録された電子機器の位置情報に応じて、管理テーブルに登録された電子機器が第３の範囲に存在するか否かを判定する。制御部１０１によって、管理テーブルに登録された電子機器が第３の範囲に存在すると判定された場合（Ｓ４１２でＹＥＳ）、Ｓ４１３に進み、そうでない場合（Ｓ４１２でＮＯ）、図４の設定処理を終了する。
【００６４】
Ｓ４１３において、制御部１０１は、第３の範囲に存在すると判定された電子機器の優先順位が第３位となるように、第３の範囲に存在する電子機器の優先順位を示す情報を書き換える。この場合、図４の設定処理を終了する。
【００６５】
Ｓ４１４において、制御部１０１は、Ｓ４０７と同様に、管理テーブルに登録された電子機器の位置情報に応じて、管理テーブルに登録された電子機器が第３の範囲に存在するか否かを判定する。制御部１０１によって、管理テーブルに登録された電子機器が第３の範囲に存在すると判定された場合（Ｓ４１４でＹＥＳ）、Ｓ４１５に進み、そうでない場合（Ｓ４１４でＮＯ）、図４の設定処理を終了する。
【００６６】
Ｓ４１５において、制御部１０１は、第３の範囲に存在すると判定された電子機器の優先順位が第２位となるように、第３の範囲に存在する電子機器の優先順位を示す情報を書き換える。この場合、図４の設定処理を終了する。
【００６７】
Ｓ４１６にいて、制御部１０１は、Ｓ４０７と同様に、管理テーブルに登録された電子機器の位置情報に応じて、管理テーブルに登録された電子機器が第３の範囲に存在するか否かを判定する。制御部１０１によって、管理テーブルに登録された電子機器が第３の範囲に存在すると判定された場合（Ｓ４１６でＹＥＳ）、Ｓ４１７に進み、そうでない場合（Ｓ４１６でＮＯ）、図４の設定処理を終了する。
【００６８】
Ｓ４１７において、制御部１０１は、第３の範囲に存在すると判定された電子機器の優先順位が第１位となるように、第３の範囲に存在する電子機器の優先順位を示す情報を書き換える。この場合、図４の設定処理を終了する。
【００６９】
次に、図５を用いて、第１の範囲、第２の範囲及び第３の範囲の設定方法について説明する。制御部１０１は、図３の給電処理を行う場合、第１の範囲、第２の範囲及び第３の範囲を図５に示される（ａ）〜（ｄ）のいずれか一つの設定方法に応じて、設定するものとする。また、制御部１０１は、給電アンテナ１０７ａを介して出力する電力の値に応じて、図５（ａ）〜（ｄ）のいずれか一つの設定方法を選択し、第１の範囲、第２の範囲及び第３の範囲を設定するようにしてもよい。また、制御部１０１は、操作部１０４を介して入力されるユーザの指示に応じて、図５（ａ）〜（ｄ）のいずれか一つの設定方法を選択し、第１の範囲、第２の範囲及び第３の範囲を設定するようにしてもよい。
【００７０】
また、制御部１０１は、操作部１０４を介して入力されるユーザの指示に応じて、第１の範囲、第２の範囲及び第３の範囲を設定しても良いものとする。
【００７１】
このように、給電装置は、給電装置が給電可能な所定の範囲内に複数の電子機器が存在する場合、各電子機器の位置に応じて、優先順位を自動的に設定するようにした。これにより、ユーザは、電子機器の位置を変更するだけで、優先順位を変更することができるので、簡単な操作で、所望の電子機器の優先順位を設定することができる。
【００７２】
さらに、給電装置は、所定の範囲内に存在する電子機器の数が変更された場合、再び、優先順位を各電子機器の位置に応じて設定し直すようにした。これにより、ユーザが所定の範囲内に新たに電子機器を置いたとしても、新たに置かれた電子機器にも優先順位を設定することができる。
【００７３】
さらに、給電装置は、所定の範囲内に存在する複数の電子機器の少なくとも一つが動かされた場合に、再び、優先順位を各電子機器の位置に応じて設定し直すようにした。これにより、給電装置が給電を行っている間に、ユーザが所望の電子機器の優先順位を変更したい場合であっても、簡単な操作で、所望の電子機器の優先順位を設定し直すことができる。
【００７４】
また、実施例１において、所定の範囲５００を第１の範囲、第２の範囲及び第３の範囲に分割し、所定の範囲５００に存在する電子機器の優先順位を設定するようにしたが、これに限られないものとする。例えば、所定の範囲５００を第１の範囲と第２の範囲とに分割し、制御部１０１は、所定の範囲５００内に存在する電子機器の位置が第１の範囲に存在するか、第２の範囲に存在するかによって、優先順位を設定してもよい。また、例えば、所定の範囲５００を５つに分割し、制御部１０１は、所定の範囲５００内に存在する電子機器の位置が各範囲に存在するか否かによって、優先順位を設定してもよい。
【００７５】
給電装置１００は、実施例１において、給電アンテナ１０７ａを用いて給電を行うようにしたが、これに限られるものではない。例えば、給電装置１００は、所定の範囲５００に対して複数の給電アンテナを有するものであってもよい。
【００７６】
（他の実施例）
本発明に係る給電装置は、実施例１で説明した給電装置１００に限定されるものではない。また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【００７７】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【００７８】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【００７９】
１００  給電装置
２００  第１の電子機器
３００  第２の電子機器
４００  第３の電子機器
【図１】
2014222963.tif 000003
【図２】
2014222963.tif 000004
【図３】
2014222963.tif 000005
【図４】
2014222963.tif 000006
【図５】
2014222963.tif 000007